(57)【要約】      （修正有）【課題】搬送エレメントに被着される、液体又はペースト状の被着媒体を調量、均等化するために、ロッド吐出及び堆積を著しく減じるドクター装置を提供する。【解決手段】被着ローラ３等の搬送エレメント２は、被着媒体７を搬送エレメント２に接線方向において接する繊維ウェブに搬送する。保持部４は、溝５．３を備えたドクターベッド５を備え、溝５．３に回転式の円筒状のドクターバー６が収容され、ドクターベッド５とドクターバー６は搬送エレメント２に接している。ドクターベッド５の上側に設けられる蒸発装置１１により、蒸発スプレー１２が選択的にドクターバーの外周面６．１又はドクターベッドの上面５．６に方向付け可能である。【選択図】図１
0003165023.tif 000002
【実用新案登録請求の範囲】
【請求項１】
搬送エレメント（２）に被着された液状からペースト状までの被着媒体（７）を調量及び／又は均等化するドクター装置であって、例えば被着ローラ（３）又はエンドレスベルトといった搬送エレメント（２）は被着媒体（７）を搬送エレメント（２）に接線方向において接する紙ウェブ、板紙ウェブ又は別の繊維ウェブ（１０）に搬送し、保持部（４）に固定されている、溝（５．３）を備えたドクターベッド（５）を備え、溝（５．３）に回転式の円筒状のドクターバー（６）が収容されており、ドクターベッド（５）ひいてはドクターバー（６）は搬送エレメント（２）に対して配置されているか若しくは圧接されている、ドクター装置において、
蒸発装置（１１）が設けられており、該蒸発装置（１１）によって蒸気スプレー（１２）は選択的にドクターバー（６）の外周面（６．１）又はドクターベッド（５）の上面（５．６）に方向付け可能であり、これにより被着媒体（７）のいわゆるロッド吐出（８）及びドクターベッド（５）における被着媒体（７）の堆積（９）が回避可能であることを特徴とする、ドクター装置。
【請求項２】
蒸発装置（１１）はドクターベッド（５）の上側に配置されていることを特徴とする、請求項１記載のドクター装置。
【請求項３】
蒸発装置（１１）は、長手方向軸線（１１ａ）を中心にして回動可能な管（１１ｂ）として構成されており、蒸気スプレー（１２）のために少なくとも１つの放出開口（１１ｃ）が備え付けられていることを特徴とする、請求項２記載のドクター装置。
【請求項４】
蒸発装置（１１）若しくは管（１１ｂ）はドクターベッド（５）及びドクターベッド（５）内に収容されているドクターバー（６）の長さにほぼ相当し、相並んで配置されている複数の放出開口（１１ｃ）を有していることを特徴とする、請求項３記載のドクター装置。
【請求項５】
蒸発装置（１１）若しくは管（１１ｂ）は、ドクターベッド（５）及びドクターベッド（５）内に収容されているドクターバー（６）の長さよりも本質的に僅かな長さを有しており、かつ、ドクターベッド（５）及びドクターバー（６）の前記長さにわたって縦走するように構成されていることを特徴とする、請求項３記載のドクター装置。
【考案の詳細な説明】
【技術分野】
【０００１】
本考案は、搬送エレメントに被着された、液状からペースト状までの被着媒体を調量かつ／又は均等化するドクター装置であって、例えば被着ローラ又はエンドレスベルトといった搬送エレメントが、被着媒体を搬送エレメントに接線方向に接し、かつ、塗工したい紙ウェブ、板紙ウェブ又は別の繊維ウェブに搬送するドクター装置に関する。ドクター装置は、保持部に固定された、溝を備えるドクターベッドを有しており、溝に回動式の円筒状のドクターバーが収容されており、ドクターベッドひいてはドクターバーは搬送エレメントに対して配置されるか若しくは圧接されている。
【０００２】  被着のこの形式、つまり被着装置とドクター装置とが対応配置されている搬送エレメントの使用は間接的な被着と称呼される。このために、実践においては、片面の被着又は両面の同時の被着のために、いわゆるフィルムプレスが使用される。被着装置は出願人の企業から、（公序良俗違反につき、不掲載）又は（公序良俗違反につき、不掲載）の名で販売されている。【０００３】
この種の装置は、例えばＤＥ２９６１２８４３において公知である。
【０００４】
繊維ウェブの製造及び精選のための機械速度は今日では経済性の理由から極めて高い。したがって、高い機械速度においては、さらに被着媒体（顔料を含有した塗料、また濃溶液であってもよい）の高い個体含有量の場合には、事前に間接的に被着された媒体の掻取り若しくは調量中に、いわゆるロッド吐出が発生する。ドクターベッド内に収容された回動式のドクターバーは同様に回動する搬送エレメントにおいて転動する。
【０００５】
ドクター装置及び周囲への被着媒体の吐出若しくは散布は極めて不都合である。堆積が形成されることがあり、さらにこれにより繊維ウェブにおける塗工ミスが引き起こされることがある。
【０００６】
したがってドクター装置をさらに頻繁に洗浄しなければならず、このことはまた製品欠陥に繋がることがある。
【０００７】
ＥＰ０４６０７７７１Ｂ１において、直に作用するコーティング装置のために使用可能な構成が記載されている。この記載では、コーティングされた紙ウェブはスクレーバ若しくはスクレーバブレードに沿って案内されている。この構成では、紙ウェブから成る繊維粒子と混合した、除去されたコーティング質量体から成る石筍形成（Ｓｔａｌａｇｍｉｔｂｉｌｄｕｎｇ）が生じる。いわゆる石筍は折れて、紙ウェブに落ち、紙ウェブ及びウェブを案内又は処理するローラにおける損壊を引き起こすことがある。
【０００８】
この問題を取り除くために、上記明細書には石筍形成を抑制する液体、有利には水蒸気の供給について記載されている。供給は、紙ウェブの進行方向に見て後続の面、つまりスクレーバ若しくはドクターナイフの「乾燥した」面の幅にわたってほぼ均等に配分されて行われる。
【０００９】
本考案の目的は、搬送エレメントに被着される被着媒体を調量又は均等化するために、ドクターバーと共に働く、いわゆるロッド吐出及び堆積が発生しない、また少なくとも著しく減じられているドクター装置を提供することである。
【００１０】
本考案の目的は、本考案によれば、蒸発スプレーが選択的にドクターバーの外周面又はドクターベットの上面へ方向付け可能である蒸発装置が設けられていることにより達成される。これにより、ドクターベッドにおける、被着媒体のいわゆるロッド吐出及び堆積は回避可能、また少なくとも減じられている。
【００１１】
本考案に係るドクター装置は、搬送エレメントに被着された液状からペースト状までの被着媒体を調量及び／又は均等化するドクター装置であって、例えば被着ローラ又はエンドレスベルトといった搬送エレメントは被着媒体を搬送エレメントに接線方向において接する紙ウェブ、板紙ウェブ又は別の繊維ウェブに搬送し、保持部に固定されている、溝を備えたドクターベッドを備え、溝に回転式の円筒状のドクターバーが収容されており、ドクターベッドひいてはドクターバーは搬送エレメントに対して配置されているか若しくは圧接されている、ドクター装置において、蒸発装置が設けられており、該蒸発装置によって蒸気スプレーは選択的にドクターバーの外周面又はドクターベッドの上面に方向付け可能であり、これにより被着媒体のいわゆるロッド吐出及びドクターベッドにおける被着媒体の堆積が回避可能であることを特徴とする。
【００１２】
好ましくは、蒸発装置はドクターベッドの上側に配置されていることを特徴とする。
【００１３】
好ましくは、蒸発装置は、長手方向軸線を中心にして回動可能な管として構成されており、蒸気スプレーのために少なくとも１つの放出開口が備え付けられていることを特徴とする。
【００１４】
好ましくは、蒸発装置若しくは管はドクターベッド及びドクターベッド内に収容されているドクターバーの長さにほぼ相当し、相並んで配置されている複数の放出開口を有していることを特徴とする。
【００１５】
好ましくは、蒸発装置若しくは管はドクターベッド及びドクターベッド内に収容されているドクターバーの長さよりも本質的に僅かな長さを有しており、ドクターベッド及びドクターバーの前記長さにわたって縦走するように構成されていることを特徴とする。
【００１６】
有利には、蒸気スプレーは水蒸気から成っていて、水蒸気は繊維ウェブ製造機に十分に存在し、簡単に吸引・搬送管システムを介してドクター装置に搬送することができる。
【００１７】
有利には、蒸発装置はドクターベッドの上側に配置されている。この位置から極めて簡単にドクターバー外周面又はドクターベッドの上面に放出したい蒸気スプレーを制御することができる。
【００１８】
蒸発装置が長手方向軸線を中心に回動可能な管として構成されていて、蒸気スプレーのための少なくとも１つの放出開口が備え付けられていると、極めて有利である。これにより蒸発装置の調節された回動位置に応じて、蒸気スプレーを極めて所望に、堆積を回避するために、ドクターベッドの上面にのみ又は、前記ロッド吐出を回避するために、ドクターバー外周面に作用することができる。
【００１９】
ドクター装置の全幅にわたる作用に関しては、蒸発装置若しくは管がドクターベッド及びドクターベッドに収容されているドクターバーの長さにほぼ相当し、相並んで配置されている複数の放出開口を有していると極めて有利である。
【００２０】
個々の放射を異なる強さで放出可能である、ということも考慮可能である。
【００２１】
択一的な構成では、蒸発装置若しくは管がドクターベッド及びドクターベッド内に収容されているドクターバーよりも実質的に僅かな長さを有するようになっていてもよい。この短い管は、例えば単に１つ又は僅かな蒸気・放出開口を有しており、ドクターベッド及びドクターバーの前記長さにわたって（つまりドクター装置の長手方向延在に対して横方向及び繊維ウェブの進行方向に対しても横方向に）縦走するように構成されている。したがって、領域によって異なる程度の堆積又はロッド吐出に極めて迅速に対応することができる可能性がある。
【００２２】
本考案に係る装置は、特に、間接的に被着媒体を紙ウェブ、板紙ウェブ又は他の繊維ウェブの一方又は両方のウェブ面に被着するフィルムプレスに適している。したがって運転窓を著しく拡大することができる。つまり、被着媒体の比較的高い固体含有量（優に６５％より大きな炭素割合の塗料、優に５８％よりも大きなカオリン割合の含量）と、従来よりも高い機械速度（最高で２０００ｍ／分を超える）が可能である。
【００２３】
これにより使用されるドクターバーは、ドクターベッドにおいて比較的長くその機能を発揮することもできる。これにより洗浄サイクルは延長され、ひいては運転停止状態は頻繁には必要にならない。さらに間接的に繊維ウェブに形成される層における塗工ミスは著しく減じることができる。
【００２４】
これにより繊維ウェブの製造は従来よりも著しく経済的であり、製造されたウェブ材料は品質的に高水準である。
【図面の簡単な説明】
【００２５】
【図１】本考案に係るドクター装置を示した概略的な断面図である。
【図２】図１に記載の装置の使用態様を示した概略的な側面図である。
【００２６】
本考案を実施の形態に基づいて詳細に説明する。
【００２７】
図面では同じ構成部材には同じ符号を付した。
【００２８】
図１には、搬送エレメント２，つまり被着ローラ３に対して圧接力Ｆによって圧接されているドクター装置１が記載されている。
【００２９】
ドクター装置１は、ドクターベッド５が例えばベース部分５．１において狭持されている保持部４を有している。ドクターベッド５は、選択した実施の形態においては、凹状に成形された溝５．３を備えた、ベース部分５．１に比べて拡幅されたヘッド部分５．２も有している。溝５．３は出口側のリップ５．４と入口側のリップ５．５とによって制限される。溝５．３には円筒状のドクターバー６が回動可能に収容されている。円筒状のドクターバー６によって、搬送エレメント２若しくは被着ドラム３（若しくはエンドレスベルト）に過剰に被着された被着媒体７は調量されるか、若しくは掻き取られるかつ／又は均等化される。ドクターバー６の回動方向は二方向矢印ＤＲによって示した。同様に搬送エレメント２の回動方向ＤＵが矢印で示されている。
【００３０】
被着媒体７の掻取り中に、被着媒体７の一部分は溝５．３内に侵入し、回動するドクターバー６のポンプ作用に基づき、上側の出口側のリップ５．４において再び出る。これによりそこでは、いわゆるロッド吐出（Ｓｔａｂｓｐｕｃｋｅｎ）と称呼され、極めて不都合である射出８が引き起こされる。さらにこれにより、ドクターベッドの上面５．６において形成されドクターバーをもクランプすることがある堆積９が発生する。さらに繊維ウェブ（図１には記載せず）１０における塗工ミス（Ｓｔｒｉｃｈｆｅｈｌｅｒ）が生じる。
【００３１】
機械速度が高ければ高いほど、かつ、被着媒体７の固体含有量が多ければ多いほど上記不都合な作用は大きくなる。
【００３２】
したがって、ドクターベッド５の上側及びドクターベッド５に対して平行に配置されている蒸発装置１１が設けられている。蒸発装置１１によって蒸気供給管路１２を介して蒸気スプレー１３が、選択的に、装置１１の調節された回転位置に応じて所望の領域に方向付け可能である。したがって、回動位置Ｉ、つまりドクターバー６の外周面６．１に方向付けられているスプレー方向で、いわゆるロッド吐出８を回避することができ、かつ、回動位置ＩＩ、つまりドクターベッド５の上面５．６に方向付けられるスプレー１２によって、ドクターベッド５における被着媒体７の堆積９を回避することができ、また少なくとも減じることができる。図１において位置ＩＩは鎖線で記載されている。
【００３３】
蒸発装置１１は長手方向軸線１１ａを中心に回動可能な管１１ｂとして構成されていて、かつ、蒸発装置１１には蒸気スプレー１２のための少なくとも１つの放出開口１１ｃが備え付けられている。
【００３４】
その他に、蒸発装置１１若しくは管１１ｂはドクターベッド５及びドクターベッド５内に収容されているドクターバー６の長さにほぼ対応して製造されており、相並んで配置されている複数の放出開口１１ｃを有している。
【００３５】
図２には、いわゆるフィルムプレス１４が記載されている。２つの搬送エレメント２，２′若しくは被着ローラ３，３′が互いにニップＮを形成する。ニップＮを繊維ウェブ１０が通過する。例えば図２において、搬送エレメント２の進行方向においてドクター装置１，１′の上流に、被着媒体７を被着する被着装置１５，１５′がさらに記載されている。ニップにおいて繊維ウェブは両面において、被着されドクター装置１，１′によって調量された被着媒体７を受け取る。同様に、ドクター装置１，１′に対して配置された各蒸発装置１１，１１′が記載されている。
【００３６】
フィルムプレス１４において両方のウェブ面には同じ構成部材が設けられているので、図面の右半分における構成部材にはそれぞれ符号"′"だけを補足した。
【符号の説明】
【００３７】
１  ドクター装置、  ２  搬送エレメント、  ３  被着ローラ、  ４  保持部、  ５  ドクターベッド、  ５．１  ベース部分、  ５．２  ヘッド部分、  ５．３  溝、  ５．４  出口側のリップ、  ５．５  入口側のリップ、  ５．６  上面、  ６．１  外周面、  ７  被着媒体、  ８  射出物若しくはロッド吐出、  ９  堆積、  １０  繊維ウェブ、  １１  蒸発装置、  １１ａ  長手方向軸線、  １１ｂ  管、  １１ｃ  放出開口、  １２  蒸気供給管路、  １３  蒸気スプレー、  １４  フィルムプレス、  Ｆ  圧接力、  Ｎ  ニップ、  ＤＲ  ドクターバーの回動方向、  ＤＵ  搬送エレメントの回動方向
【図１】
0003165023.tif 000003
【図２】
0003165023.tif 000004
【手続補正書】
【提出日】平成22年10月20日(2010.10.20)
【手続補正１】
【補正対象書類名】明細書
【補正対象項目名】０００２
【補正方法】変更
【補正の内容】
【０００２】
被着のこの形式、つまり被着装置とドクター装置とが対応配置されている搬送エレメントの使用は間接的な被着と称呼される。このために、実践においては、片面の被着又は両面の同時の被着のために、いわゆるフィルムプレスが使用される。